(57)【要約】【課題】電磁駆動装置により脱水シャフトに挿嵌したブレーキホィールにブレーキをかける洗濯機の駆動装置において、洗濯時のブレーキレバーによるブレーキ力を大きくして、洗濯兼脱水槽の共回りを防止して静音化を図る。【解決手段】洗濯兼脱水槽に連結した脱水シャフトにブレーキホィール１０を挿嵌し、ブレーキホィール１０の外周に同心上にブレーキバンド１１を配設して洗濯時にはブレーキばね２２によりブレーキホィール１０と密着し脱水時と排水時には開放状態にし、ブレーキバンド１１に配設したブレーキレバー２０を電磁駆動装置２９によりコックロッド３１を介して回動自在とする。電磁駆動装置２９は、オフ時にコックロッド３１に連結する動作レバー３０を軸方向に移動させる駆動モータ３２を内蔵し、洗濯時のオフ状態で、駆動モータ３２により動作レバー３０をブレーキレバー２０に当接させて押し力を印加する構成とする。【選択図】　図１
2004135955.tif 000002
【特許請求の範囲】
【請求項１】
洗濯兼脱水槽に連結した脱水シャフトと、前記洗濯兼脱水槽の内底部に配設した回転翼に連結し前記脱水シャフトの内径部に同心上に配設した洗濯シャフトと、前記脱水シャフトに挿嵌したブレーキホイールと、前記ブレーキホイールの外周に同心上に配設し洗濯時およびブレーキ時にはブレーキばねにより前記ブレーキホイールと密着し脱水時および排水時には開放状態となるブレーキバンドと、前記ブレーキバンドに配設したブレーキレバーと、前記ブレーキレバーをコックロッドを介して回動自在とする電磁駆動装置とを備え、前記電磁駆動装置は、オフ時に前記コックロッドに連結する動作レバーを軸方向に移動させる駆動モータを内蔵し、洗濯時のオフ状態で、前記駆動モータにより前記動作レバーを前記ブレーキレバーに当接させて押し力を印加する構成とした洗濯機の駆動装置。
【請求項２】
コックロッドに連結し洗濯兼脱水槽内の水を排水する排水弁を備え、洗濯時に、電磁駆動装置の動作レバーを前記コックロッドに当接させて押し力を印加する構成とした請求項１記載の洗濯機の駆動装置。
【発明の詳細な説明】
【０００１】
【発明の属する技術分野】
本発明は、電磁駆動装置により脱水シャフトに挿嵌したブレーキホイールにブレーキレバーを介してブレーキをかける洗濯機の駆動装置に関するものである。
【０００２】
【従来の技術】
従来、洗濯機は図４〜図６に示すように構成していた。以下、その構成について説明する。
【０００３】
図４に示すように、水受け槽１は、下方に駆動装置２とモータ３を配設し、かつ内底部に回転翼４を回転自在に配設した洗濯兼脱水槽５を回転自在に配設している。
【０００４】
駆動装置２は、図５に示すように構成しており、脱水時には回転翼４を回転させる洗濯シャフト６と、洗濯兼脱水槽５を回転させる脱水シャフト７が同時に回転し、洗濯時には、切換クラッチ８の働きにより、減速ギヤ９を介して、洗濯シャフト６のみが回転する。ブレーキホイール１０は減速ギヤ９を外包するものであり、同心的に洗濯時の脱水回転方向への洗濯兼脱水槽５の共回り防止と、脱水終了時に洗濯兼脱水槽の５の回転を停止させるブレーキバンド１１を配設し、このブレーキホイール１０の上方に脱水シャフト７を嵌着し、下方にギヤケース１２を嵌着している。
【０００５】
このブレーキホイール１０は、脱水シャフト７を外包し遊嵌状態とした上軸受１３を挿着した蓋１４と、ギヤケース１２を外包し嵌着状態とした下軸受１５を挿着した軸受ケース１６とにより軸支している。
【０００６】
クラッチレバー１７は軸受ケース１６に設けたクラッチ軸１８を中心に回動自在に配設し、クラッチ軸１８にクラッチレバー１７を切換クラッチ８に係合させるクラッチばね１９を同心上に設けている。ブレーキレバー２０は、ブレーキバンド１１をブレーキホイール１０に密着または開放させるもので、軸受ケース１６に設けたブレーキ軸２１を中心に回動自在に配設し、ブレーキ軸２１にブレーキバンド１１をブレーキホイール１０に密着させるブレーキばね２２を同心上に設けている。
【０００７】
水受け槽２の底面に水受け槽１内の洗濯水を排水する排水弁２３を設けており、この排水弁２３は、図６に示すように、コックロッド２４を介して電磁駆動装置２５の動作レバー２５ａに連結し、電磁駆動装置２５により排水弁２３を開閉するようにしている。
【０００８】
コックロッド２４にブレーキレバー作動部２６を設け、このブレーキレバー作動部２６にブレーキレバー２０をブレーキばね２２のばね力により当接し、ブレーキレバー２０にクラッチレバー１７をクラッチばね１９のばね力により当接し、電磁駆動装置２５の動作により、排水弁２３の開閉と、ブレーキレバー２０およびクラッチレバー１７の動作とを連動するように構成している（例えば、特許文献１）。
【０００９】
上記構成において動作を説明する。洗濯時には、図６（ａ）に示すように、電磁駆動装置２５がオフ状態となり、排水弁２３のコックばね２３ａのばね力によりコックロッド２４が矢印ａ方向に移動して排水弁２３を閉じる。これにより、ブレーキレバー２０はブレーキばね２２のばね力によりブレーキレバー作動部２６に当接した状態で矢印ｂ方向に移動し、これに伴い、クラッチレバー１７はクラッチばね１９のばね力によりブレーキレバー２０に当接した状態で矢印ｃ方向に移動する。
【００１０】
これにより、クラッチレバー１７は切換クラッチ８と係合し、クラッチスプリング８ａをプーリメタル２７と開放させることにより、モータ３の回転は、プーリーメタル２７を介してギヤシャフト２８および減速ギヤ９、洗濯シャフト６、回転翼４に伝わる。
【００１１】
このとき、ブレーキバンド１１は、ブレーキばね２２のばね力によりブレーキホイール１０と密着状態となり、脱水回転方向への衣類の回転による洗濯兼脱水槽５の共回りを防止する。これと同時に、下軸受１５の上方に配設したワンウェイクラッチ１５ａの働きにより、脱水逆回転方向への衣類の回転による洗濯兼脱水槽５の共回りを防止して、共回りによりクラッチスプリング８ａの開放状態が密着状態へと変化し、プーリメタル２２とギヤケース１２が連結されて脱水状態となり、過負荷によるモータ３のロックが発生するのを防止することができる。
【００１２】
脱水時には、図６（ｂ）に示すように、電磁駆動装置２５がオン状態となり、コックロッド２４が矢印ｄ方向に移動し、排水弁２３を開くとともに、コックロッド２４に設けたブレーキレバー作動部２６により、ブレーキレバー２０をブレーキばね２２のばね力に抗して矢印ｅ方向に移動する。これに伴い、クラッチレバー１７はクラッチばね１９のばね力に抗して矢印ｆ方向に移動する。
【００１３】
これにより、クラッチレバー１７は切換クラッチ８から離れ、クラッチスプリング８ａがプーリーメタル２７と密着することにより、モータ３の回転は回転翼４と洗濯兼脱水槽５に同時に回転が伝わる。一方、ブレーキレバー２０が矢印ｅ方向に移動することによって、ブレーキバンド１１は矢印ｇ方向に移動してブレーキホイール１０より開放され、洗濯兼脱水槽５を回転することができる。
【００１４】
【特許文献１】
特公平３−１４４８０号公報
【００１５】
【発明が解決しようとする課題】
このような従来の構成では、洗濯時の脱水回転方向への衣類の回転による洗濯兼脱水槽５の共回りを、ブレーキばね２２のばね力によるブレーキバンド１１とブレーキホイール１０の密着力のみで防止しているため、強水流等の強い衣類の回転が発生した際には、洗濯兼脱水槽５が共回りを起こし、この共回りにより摺動音を発生させる恐れがあった。
【００１６】
また、共回りを防止するため、ブレーキばね２２のばね力を強くしてブレーキバンド１１とブレーキホイール１０の密着力を増加させると、脱水終了時のブレーキが急ブレーキとなり、ブレーキ音が発生するとともに、慣性力が高いため水受け槽１が筐体に当接する恐れがあった。
【００１７】
また、排水弁２３の止水性能はコックばね２３ａの圧縮反発力を利用しているため、高い止水性能を得るためにはコックばね２３ａの圧縮反発力を高くする必要があり、よって排水時に動作する電磁駆動装置２５の出力も高くなり、安価なコストでの提供が困難であった。
【００１８】
本発明は上記従来の課題を解決するもので、洗濯時のブレーキレバーによるブレーキ力を大きくして、洗濯兼脱水槽の共回りを防止して静音化を図ることを目的としている。
【００１９】
【課題を解決するための手段】
本発明は上記目的を達成するために、洗濯兼脱水槽に連結した脱水シャフトの内径部に、洗濯兼脱水槽の内底部に配設した回転翼に連結した洗濯シャフトを同心上に配設し、脱水シャフトにブレーキホイールを挿嵌し、ブレーキホイールの外周に同心上にブレーキバンドを配設して洗濯時およびブレーキ時にはブレーキばねによりブレーキホイールと密着し脱水時および排水時には開放状態となるようにし、ブレーキバンドに配設したブレーキレバーを電磁駆動装置によりコックロッドを介して回動自在とし、電磁駆動装置は、オフ時にコックロッドに連結する動作レバーを軸方向に移動させる駆動モータを内蔵し、洗濯時のオフ状態で、駆動モータにより動作レバーをブレーキレバーに当接させて押し力を印加する構成としたものである。
【００２０】
これにより、洗濯時のブレーキレバーによるブレーキ力を大きくすることができて、洗濯兼脱水槽の共回りを防止することができ、静音化を図ることができる。
【００２１】
【発明の実施の形態】
本発明の請求項１に記載の発明は、洗濯兼脱水槽に連結した脱水シャフトと、前記洗濯兼脱水槽の内底部に配設した回転翼に連結し前記脱水シャフトの内径部に同心上に配設した洗濯シャフトと、前記脱水シャフトに挿嵌したブレーキホイールと、前記ブレーキホイールの外周に同心上に配設し洗濯時およびブレーキ時にはブレーキばねにより前記ブレーキホイールと密着し脱水時および排水時には開放状態となるブレーキバンドと、前記ブレーキバンドに配設したブレーキレバーと、前記ブレーキレバーをコックロッドを介して回動自在とする電磁駆動装置とを備え、前記電磁駆動装置は、オフ時に前記コックロッドに連結する動作レバーを軸方向に移動させる駆動モータを内蔵し、洗濯時のオフ状態で、前記駆動モータにより前記動作レバーを前記ブレーキレバーに当接させて押し力を印加する構成としたものであり、洗濯時に、電磁駆動装置内の駆動モータを回転させて、動作レバーの先端をブレーキレバーに当接させることにより押し力を印加することで、ブレーキばねのばね力に動作レバーによる押し力を加えた力でブレーキバンドとブレーキホイールとを密着させることができ、ブレーキバンドとブレーキホイールの密着力を向上することができ、洗濯時の衣類の回転による洗濯兼脱水槽の脱水回転方向への共回りを防止することができ、共回りによる摺動音が発生することなく、静音化することができる。
【００２２】
請求項２に記載の発明は、上記請求項１に記載の発明において、コックロッドに連結し洗濯兼脱水槽内の水を排水する排水弁を備え、洗濯時に、電磁駆動装置の動作レバーを前記コックロッドに当接させて押し力を印加する構成としたものであり、洗濯時に電磁駆動装置の動作レバーの押し力をコックロッドに印加することにより、排水弁の止水性能をコックばねの圧縮反発力を高くしなくても高めることができ、洗濯時の静音化と排水弁の止水性能の向上を安価なコストで得ることができる。
【００２３】
【実施例】
以下、本発明の実施例について、図面を参照しながら説明する。なお、従来例と同じ構成のものは同一符号を付して説明を省略する。
【００２４】
（実施例１）
図１に示すように、電磁駆動装置２９は、動作レバー３０をコックロッド３１に連結し、コックロッド３１を排水弁２３に連結している。動作レバー３０は電磁駆動装置２９がオフのときは、コックばね２３ａにより矢印ａ方向に移動し、磁駆動装置２９がオンすると矢印ａと逆方向に移動する。さらに、電磁駆動装置２９内に駆動モータ３２を内蔵しており、電磁駆動装置２９がオフの状態で、駆動モータ３２を回転させることにより動作レバー３０を軸方向に移動できるように構成している。
【００２５】
コックロッド３１にブレーキレバー作動部３３を設け、このブレーキレバー作動部３３にブレーキレバー２０をブレーキばね２２のばね力により当接し、ブレーキレバー２０にクラッチレバー１７をクラッチばね１９のばね力により当接し、電磁駆動装置２９の動作により、排水弁２３の開閉と、ブレーキレバー２０およびクラッチレバー１７の動作とを連動するように構成している。
【００２６】
ここで、電磁駆動装置２９は、洗濯時のオフ状態で、駆動モータ３２により動作レバー３０をブレーキレバー２０に当接させて押し力を印加するよう構成している。他の構成は従来例と同じである。
【００２７】
上記構成において動作を説明する。なお、電磁駆動装置２９をオンする排水および脱水時の動作は従来例の動作と同じであるので説明を省略する。
【００２８】
洗濯時に、電磁駆動装置２９はオフ状態で、排水弁２３のコックばね２３ａのばね力によりコックロッド３１が矢印ａ方向に移動して排水弁２３を閉じる。これにより、ブレーキレバー２０はブレーキばね２２のばね力によりブレーキレバー作動部３３に当接した状態で移動し、これに伴い、クラッチレバー１７はクラッチばね１９のばね力によりブレーキレバー２０に当接した状態で移動する。
【００２９】
これにより、クラッチレバー１７は切換クラッチ８と係合し、クラッチスプリング８ａをプーリメタル２７と開放させることにより、モータ３の回転は、プーリーメタル２７を介してギヤシャフト２８および減速ギヤ９、洗濯シャフト６、回転翼４に伝わる。
【００３０】
このとき、ブレーキバンド１１は、ブレーキばね２２のばね力によりブレーキホイール１０と密着状態となる。さらに、駆動モータ３２を回転させて、動作レバー３０の先端をブレーキレバー２０に当接させて、押し力を印加し、ブレーキホイール１０とブレーキバンド１１の密着力を向上させる。
【００３１】
これにより、衣類の回転による洗濯兼脱水槽５の共回りをなくして、摺動音の発生を防止することができる。合わせて、脱水逆回転方向の洗濯兼脱水槽５の共回りも同様に防止することができるため、図２に示すように、従来の構造では必要であったワンウェイクラッチ１５ａを廃止することができる。
【００３２】
（実施例２）
図３に示すように、電磁駆動装置３４は、動作レバー３５をコックロッド３６に連結し、コックロッド３６を排水弁２３に連結している。動作レバー３５は電磁駆動装置３４がオフのときは、コックばね２３ａにより矢印ａ方向に移動し、磁駆動装置３４がオンすると矢印ａと逆方向に移動する。さらに、電磁駆動装置３４内に駆動モータ３７を内蔵しており、電磁駆動装置３４がオフの状態で、駆動モータ３７を回転させることにより動作レバー３５を軸方向に移動できるように構成している。
【００３３】
コックロッド３６にブレーキレバー作動部３８を設け、このブレーキレバー作動部３８にブレーキレバー２０をブレーキばね２２のばね力により当接し、ブレーキレバー２０にクラッチレバー１７をクラッチばね１９のばね力により当接し、電磁駆動装置３４の動作により、排水弁２３の開閉と、ブレーキレバー２０およびクラッチレバー１７の動作とを連動するように構成している。
【００３４】
ここで、電磁駆動装置３４は、洗濯時のオフ状態で、駆動モータ３７により動作レバー３５をコックロッド３６に当接させて押し力を印加するよう構成している。他の構成は上記実施例１と同じである。
【００３５】
上記構成において動作を説明する。なお、電磁駆動装置３４をオンする排水および脱水時の動作は上記実施例１の動作と同じであるので説明を省略する。
【００３６】
洗濯時に、電磁駆動装置３４はオフ状態で、排水弁２３のコックばね２３ａのばね力によりコックロッド３６が矢印ａ方向に移動して排水弁２３を閉じる。これにより、ブレーキレバー２０はブレーキばね２２のばね力によりブレーキレバー作動部３８に当接した状態で移動し、これに伴い、クラッチレバー１７はクラッチばね１９のばね力によりブレーキレバー２０に当接した状態で移動する。
【００３７】
これにより、クラッチレバー１７は切換クラッチ８と係合し、クラッチスプリング８ａをプーリメタル２７と開放させることにより、モータ３の回転は、プーリーメタル２７を介してギヤシャフト２８および減速ギヤ９、洗濯シャフト６、回転翼４に伝わる。
【００３８】
このとき、ブレーキバンド１１は、ブレーキばね２２のばね力によりブレーキホイール１０と密着状態となる。さらに、駆動モータ３７を回転させて、動作レバー３５の先端をコックロッド３６に当接させた後、コックロッド３６とブレーキレバー２０を当接させることにより、ブレーキホイール１０とブレーキバンド１１の密着力を向上させるとともに、排水弁２３の止水側にも押し力を印加することができ、止水性能を向上することができる。
【００３９】
【発明の効果】
以上のように、本発明の請求項１に記載の発明によれば、ブレーキバンドに配設したブレーキレバーを電磁駆動装置によりコックロッドを介して回動自在とし、電磁駆動装置は、オフ時にコックロッドに連結する動作レバーを軸方向に移動させる駆動モータを内蔵し、洗濯時のオフ状態で、駆動モータにより動作レバーをブレーキレバーに当接させて押し力を印加する構成としたことにより、洗濯時のブレーキレバーによるブレーキ力を大きくすることができて、洗濯兼脱水槽の共回りを防止することができ、静音化を図ることができる。
【図面の簡単な説明】
【図１】（ａ）本発明の第１の実施例の洗濯機の駆動装置の一部切欠した要部下面図
（ｂ）同洗濯機の駆動装置の一部切欠した要部側面図
【図２】同洗濯機の駆動装置の一部切欠した側面図
【図３】（ａ）本発明の第２の実施例の洗濯機の駆動装置の一部切欠した要部下面図
（ｂ）同洗濯機の駆動装置の一部切欠した要部側面図
【図４】従来の洗濯機の駆動装置を備えた洗濯機の縦断面図
【図５】同洗濯機の駆動装置の一部切欠した側面図
【図６】（ａ）同洗濯機の駆動装置の洗濯時の一部切欠した要部下面図
（ｂ）同洗濯機の駆動装置の排水・脱水時の一部切欠した要部下面図
【符号の説明】
４　回転翼
５　洗濯兼脱水槽
６　洗濯シャフト
７　脱水シャフト
１０　ブレーキホイール
１１　ブレーキバンド
２０　ブレーキレバー
２２　ブレーキばね
２９　電磁駆動装置
３０　動作レバー
３１　コックロッド
３２　駆動モータ
【図１】
2004135955.tif 000003
【図２】
2004135955.tif 000004
【図３】
2004135955.tif 000005
【図４】
2004135955.tif 000006
【図５】
2004135955.tif 000007
【図６】
2004135955.tif 000008